(57)【特許請求の範囲】
【請求項１】
合成樹脂製の電線保護体は、電線保護体１の下部に設けた内部に電線を収納し得る長方形型形状部６を有し、長方形型形状部の片側から、波状の板体で形成される波状波形部２を一体的に設け、他方の側から電線保護体係止片７を立設させ、その電線保護体の左側に電線保護体係止片７を突出させた係合突起部３を設け、同じく右側に前記係合突起部と嵌り合うよう凹部にした係合凹部４を設け、係合突起部と係合凹部を係合して他の電線保護体同士を連結可能に構成し、係合部においてビス止めよう取付穴を設け、長方形型形状部６は、電線を収納すべく波状波形部２と電線保護体係止片７を拡開自在に形成されていることを特徴とする鳥害防止用電線保護体。
【発明の詳細な説明】
【技術分野】
【０００１】
本発明は電柱から分配する分配箱から各家庭に繋げるドロップ線に、クマゼミが木と間違えて産卵管を挿入して、ドロップ線のグラスファイバーに損傷を与えて通信を妨げる被害が増えている実情である。
【背景技術】
【０００２】
従来の鳥害防止用電線保護体は、電柱に架設した電線に、合成樹脂製の管体の下部に突出片を左右に対設させ、電柱に架設した電線に被着するため拡開自在に分割した電線保護体Ａであって、長手方向に継手のカリ首状の係合突起２の嵌合鎧部３で、電線保護体の継手Ｂも電線保護体Ａと同様に下部に突出片を左右に対設し、拡開自在に分割し、突入片６、６が対設され、その両側端で電線を導入させ、電柱に架設した電線に被着して強風により管体の回転しても良いように突起を、上下に配設、何時でも上方に突出するハリヤー管体が有り、鳥害防止機能が果たせる課題を解決するために、強風により回転しても常に鳥害防止機能を発揮する。（例えば、特許文献１参照）。
発電所、変電設備等の回りの柵本体の上端に、猿の手指に痛覚刺激を与えるように上に突出した鋼板製の波状波形部を柵本体の長さ方向に連接設けたものがある。（例えば、特許文献２参照）。
電柱に架設する電線に、先ず、電線に鳥害防止用電線保護体を被着させてから、電柱に架設する電線に円周回りに突起を設けて鳥害を防止する棒体を長手方向に接続設けるようにしたものがある。（例えば、特許文献３参照）上述の従来技術だけでは、新しい鳥害防止用電線保護体とすることが出来ず、電柱から分配する分配箱から各家庭に繋ぐドロップ線は、ワイヤーで補強、ビニールで被膜されているものの、分配される分配箱から家庭に繋がるドロップ線はカラスや、特に最近クマゼミが木の葉と間違えて産卵管をドロップ線に突き刺し、内部のグラスファイバーを傷つけ損傷される例が多発している。
【特許文献１】特開２０００−５５号  公報
【特許文献２】登録実用新案第３０８９０３２号  公報
【特許文献３】特開平１１−１９１９１７号  公報                  １）図２
【発明の開示】
【発明が解決しようとする課題】
【０００３】
しかしながら、前記鳥害防止用電線保護体にあっては、各ハリヤー棒体が上側縁から鉛直上方へ、突出させているのみであるので、鳥害防止用電線保護体が強風などにより上下逆に反転すると、その上方に突出すべきバリヤー棒体が無くなり、せっかくの鳥害防止機能が果たせなくなるという課題が有った。そこで、本発明は上記課題を解決すべく強風に対しても回転することなく常に鳥害防止機能を確実に発揮し得る鳥害防止用電線保護体を提供することを目的とするものである。また、鳥害防止対象のクマゼミの生体でその飛行する飛行高度は１００メートルの飛行高度が最高であり、そこを考慮して、電柱から分配される分配箱から各家庭のあいだのドロップ線に電気通信回線を公衆に利用可能にする電柱に架設する電線工事とおなじようにする最適の直方形型形状の両側で拡開自在にした鳥害防止用電電保護体を被着させる、取付工事が極めて簡潔な構成の鳥害防止用保護体を提供するものである。
【課題を解決するための手段】
【０００４】
本発明に係わる鳥害防止用電線保護体は、合成樹脂製の電線保護体の下部に設けた内部に電線を収納し得る長方形型形状部を有し、長方形型形状部の片方の側から、波状の板体で形成される波状波形部２一体的に立設し、他方の側から電線保護体係止片を立設させ、その電線保護体の左側に電線保護体係止片を突出させた係合突起部を設け、同じく右側に前記係合突起部と嵌り合うよう凹部にした係合凹部を設け、係合突起部と係合凹部を係合して他の電線保護体同士を連結可能に構成し、係合部においてビス止めよう取付穴を設け、長方形型形状部は、電線を収納すべく波状波形部と電線保護体係止片を拡開自在に形成するようにした鳥害防止用電線保護体としたから、電線のドロップ線を収納すべくした長方形型形状部を、波状波形部と電線保護体係止片のあいだを拡開させてドロップ線を収納することが出来、その波状波形部と電線保護体係止片の係合突出部と係合凹部を係合して他の電線保護体同士を連結接続させ、係合部において取付穴を介してビス止めドロップ線に被着させ、その上方の突き出させた鋭利な波状波形部を分配箱から各家庭に繋ぐドロップ線を被着させて鳥類のカラスからの被害を防止し、長方形型形状のドロップ線と電線保護体に設けた長方形型形状部を嵌め合せ被着させたから上方に突き出た波状波形部が回転、位置を逆転させることなく、クマゼミからの被害を防止できる、電線保護体をドロップ線に被着させてなる鳥害防止用電線保護体。
【発明の効果】
【０００５】
本発明は電線保護体の下部に設けた内部に電線を収納し得る長方形型形状部を有してドロップ線を被着するに最適な構成にし、直方形型形状部の片方の側から、波状の板体で形成される波状波形部を一体的に立設し、他方の側から電線保護体係止片を立設さえ、その電線保護体の左側に電線保護体係止片を突出させた係合突起部を設け、同じく右側に前記係合突起部と嵌り合うよう凹部にした係合凹部を設け、係合突出部と係合凹部を係合して他の電線保護体同士を連結可能に構成し、係合部においてビス止めよう取付穴を設け、長方形型形状部は、電線を収納すべく波状波形部と電線保護体係止片を拡開自在に形成されている鳥害防止用電線保護体としたから、電線を収納するために波状波形部と電線保護体係止片を拡開させて長方形型形状部でドロップ線を収納すればよく、係合突起部と係合凹部を係合して他の電線保護体同士を連結させ、係合部で取付穴を介してビス止め被着させる極めて簡易な取付工事によりドロップ線を電線保護体を被着させることの出来る効果が有し、上方に突き出た鋭利な波状波形部を有する電線保護体でカラスは勿論のこと、クマゼミの飛行する高度は低空に限られる電柱の分配箱から各家庭に繋ぐ低空に架設するドロップ線に電線保護体に被着させたから、近寄ってクマゼミが硬い産卵管を電線保護体に貫通させることが出来ず、ドロップ線のケーブル表面の溝から産卵管を刺せず、グラスファイバーを損傷させる被害を未然に防止し、電線保護体の直方形型形状部でドロップ線の長方形型形状に嵌め合わせ収納被着させたから強風が吹いても、ドロップ線と電線保護体の長方形型形状部を嵌め合い被着させたから、従来のように上方に設けた波状波形部が上下が逆転することが無く、確実に上方に突き出させる鋭利な波状波形部によりカラスが分配箱上に載っても悪戯出来ず、食いちぎられること無く切断を免れるようにした鳥害防止用電線保護体。
【発明を実施するための最良の形態】
【０００６】
以下、本発明の実施の形態を図１〜図５に基づいて説明する。
【実施例】
【０００７】
本発明を説明すると、従来の猿害防止用の変電所、発電設備の上方の柵本体に取着した猿害防止用の隣り合う波状を高い波と低い波とを間隔を持って構成した鋭利な鋼板製の波状波形部を用いることは公知のものである。
本発明について図１により詳しく説明すると、合成樹脂製の電線保護体は、電線保護体１の下部に設けた内部に電線を収納し得る直方形型形状部６を有し、直方形型形状部６の片方の側から、波状の板体で形成される波状波形部２を一体的に立設し、他方の側から電線保護体係止片７を立設させ、その電線保護体の左側に電線保護体係止片７を突出させた係合突起部３を設け、同じく右側に前記係合突起部と嵌り合うよう凹部にした係合凹部４を設け、係合突起部と係合凹部を係合して他の電線保護体同士を連結可能にし、係合部においてビス止めよう取付穴を設け、長方形型形状部６は、電線を収納すべく波状波形部２と電線保護体係止片７を拡開自在に形成させた鳥害防止用電線保護体としたものである。
図２は、他の合成樹脂製の電線保護体同士を接続するための電線保護体の左側に電線保護体係止片７を突出させ設けた係合突起部３と、同じく右側に前記係合突起部と嵌り合うよう凹部に設けた係合凹部４とで、係合突起部３と係合凹部４を嵌め合わせ取付穴８、８でビス止め接続させるための詳細説明斜視図である。
図３、電線保護体の下部に設けた内部に電線を収納し得る長方形型形状部６を有する電線保護体１であり、電線保護体の左側に電線保護体係合片７を突出させた係合突起部３を設け、同じく右側に前記係合突起部と嵌り合うよう凹部にした係合凹部４を設けた電線保護体１を示す図である。
図４においては、上方に隣り合う波状を高い波と低い波を間隔を持って構成する鋭利な波状波形部２を一体化した波状波形部２にし、電線保護体の左側に電線保護体係止片７を突出させ設けた係合突起部３を切断して切断面部５を示す図である。
図５は、分配する分配箱１０から各家庭のあいだを繋ぐドロップ線１１という細い長方形型形状のケーブルで、ポリエチレンの皮膜にグラスファイバーの心船（ガラス）が通っており、クマゼミの硬い産卵管１２を、ケーブル表面の溝から刺し、真下にある心線は的中し、グラスファイバーに損傷になる例が多発していることが解った。
本発明は、分配する分配箱１０から各家庭を繋ぐドロップ線１１に対し、電線保護体１の下部の内部に設けた電線を収納し得る長方形型形状部部６を、波状波形部２と電線保護体係止片７のあいだを拡開してドロップ線に収納させ、電線保護体同士を係合突起部３と係合凹部４を嵌め合せ取付穴８、８でビス止め被着させ、電線保護体１を分配箱１０から各家庭に繋ぐ中継箱までのあいだに上方に突き出した鋭利な波状波形部２を有する電線保護体１を被着させたから、分配箱１０に跨ったカラスによる悪戯を未然に防止でき、クマゼミにおいてもドロップ線１１に被着させたから近傍に近寄ってもクマゼミの硬い産卵管１２は電線保護体１を通さずグラスファイバーの損傷被害を未然に防止する鳥害防止用電線保護体である。
【産業上の利用可能性】
【０００８】
ドロップ線に鋭利な波状波形部を上方に突出させて、上下逆転させないように電線保護体の長方形型形状を嵌め合せ被着させ、分配箱上からクマゼミがドロップ線に悪戯し食いちぎる断線を防ぐため、分配箱から各家庭に繋ぐ中継箱までのクマゼミの飛行する低高度の１００メートルのドロップ線に電線保護体をビス止め長手方向へと連結被着させ、ドロップ線に電線保護体を被着させてクマゼミが近寄ることの無いようにした鳥害防止用電線保護体にしたから産業上の利用可能性は大である。
【図面の簡単な説明】
【０００９】
【図１】本発明の電線保護体の下方に設けた内部に電線を収納し得る長方形型形状部を有し、長方形型形状部の片側の側から、波状の板体で形成された波状波形部２を一体的に立設し、他方の側から電線保護体係止片を立設させて電線保護体をドロップ線にビス止め被着させた鳥害防止用電線保護体の断面図である。
【図２】本発明の電線保護体の左側に電線保護体係止片を突出させ設けた係合突起部と、同じく右側に前記係合突起部と嵌め合うよう凹部に設けた係合凹部で他の電線保護体と連結可能にする係合部の斜視図である。
【図３】本発明の電線保護体の電線保護体係止片を突出させた係合突起部と、他方に電線保護体係止片を凹部した係合凹部を設けた電線保護体を示す図である。
【図４】本発明の電線保護体の電線保護体係止片の突出させた係合突出部を切断した切断面部を示す図である。
【図５】本発明に係るドロップ線の詳細断面説明図である。
【符号の説明】
【００１０】
１        電線保護体                    ２      波状波形部
３        係合突起部                    ４      係合凹部
５        切断面部                      ６      長方形型形状部
７        電線保護体係止片              ８      取付穴
９        電線                          １０    分配箱
１１      ドロップ線                    １２    産卵管
【要約】      （修正有）【課題】分配箱から分配するグラスファイバー回線と、同じく各家庭に繋ぐドロップ線のグラスファイバーへの鳥害のカラスと、クマゼミによる切断被害を防ぐ電線保護体の提供。【解決手段】長方形型と丸型計状の下部の取着部と電線保護体係止部７の間を開き挿入ビス止め装着させたグラスファイバー回線６と，太い電線９回りで上方向に鋭利にした先端の波状波形部２を上方方向に突き出し，分配箱１０と太い電線９に近寄れず、近寄っても波状波形部２で遊戯と食いちぎりが出来ず、各家庭に繋ぐドロップ線を長方形型形状の下部の取着部で電線保護体係止片７の間を開き挿入ビス止め包含装着させた鳥害防止用電線保護体。【選択図】図９【図１】
0003920909.tif 000002
【図２】
0003920909.tif 000003
【図３】
0003920909.tif 000004
【図４】
0003920909.tif 000005
【図５】
0003920909.tif 000006